(57)【要約】      （修正有）【課題】  寸法精度やキャビティ底面の平面度に優れたキャビティを有する多層セラミック基板を製造可能とする。【解決手段】  複数のセラミックグリーンシートを積層して積層体とし、これをプレスした後、焼成することによりキャビティを有する多層セラミック基板を形成する。このとき、積層体の最外層のセラミックグリーンシートの表面に収縮抑制材グリーンシートを積層するとともに、キャビティの底部に露呈するセラミックグリーンシート上にキャビティ形状に応じて収縮抑制材グリーンシート片を配する。次に、この収縮抑制材グリーンシート片上に焼失性シートを配する。そして、収縮抑制材グリーンシート片、あるいは焼失性シート片上に、キャビティを埋める形でセラミックグリーンシートとは分離された埋め込み用グリーンシート（切り込みにより分離された部分）を配した状態でプレス及び焼成を行い、焼成後に埋め込み用グリーンシートの焼成物を除去する。【選択図】  図６
2007043050.tif 000002
【特許請求の範囲】
【請求項１】
複数のセラミック層が積層されるとともに、キャビティを有する多層セラミック基板であって、
前記キャビティの開口部における開口面積が、前記キャビティの深さ方向中途位置における開口面積よりも小であることを特徴とする多層セラミック基板。
【請求項２】
前記キャビティの形状は深さ方向中途部が膨出する形状とされており、キャビティの開口面積は、深さ方向中途位置に至るまで次第に増加し、次いで次第に減少していることを特徴とする請求項１記載の多層セラミック基板。
【請求項３】
前記キャビティの内壁の断面形状が略円弧形状であることを特徴とする請求項２記載の多層セラミック基板。
【請求項４】
前記キャビティは平均開口面積が深さ方向において段階的に小となる多段形状を有し、少なくとも１段目のキャビティ部において、開口部における開口面積が深さ方向中途位置における開口面積よりも小であることを特徴とする請求項１記載の多層セラミック基板。
【請求項５】
前記１段目のキャビティ部の形状は深さ方向中途部が膨出する形状とされており、当該キャビティ部の開口面積は、深さ方向中途位置に至るまで次第に増加し、次いで次第に減少していることを特徴とする請求項４記載の多層セラミック基板。
【請求項６】
２段目以降のキャビティ部において、開口部における開口面積が深さ方向中途位置における開口面積よりも小であることを特徴とする請求項４または５記載の多層セラミック基板。
【請求項７】
２段目以降のキャビティ部は、深さに伴って開口面積が漸減する形状とされていることを特徴とする請求項４または５記載の多層セラミック基板。
【請求項８】
前記各キャビティ部の内壁の断面形状が略円弧形状であることを特徴とする請求項５から７のいずれか１項記載の多層セラミック基板。
【請求項９】
前記キャビティ内に電子デバイスが実装され、樹脂封止されていることを特徴とする請求項１から８のいずれか１項記載の多層セラミック基板。
【請求項１０】
キャビティに対応して貫通孔が形成されたキャビティ形成用グリーンシートを含む複数の基板用グリーンシートを積層して積層体とし、これをプレスした後、焼成することによりキャビティを有する多層セラミック基板を形成する多層セラミック基板の製造方法であって、
前記積層体の最外層となる基板用グリーンシートの表面にそれぞれ収縮抑制材グリーンシートを積層するとともに、
前記キャビティの底面を構成する基板用グリーンシート上に収縮抑制材グリーンシート片を配し、
さらに前記収縮抑制材グリーンシート片上に前記キャビティを埋める形で前記各キャビティ形成用グリーンシートとは分離された埋め込み用グリーンシートを配した状態で前記プレス及び焼成を行い、
焼成後に前記埋め込み用グリーンシートの焼成物を除去することを特徴とする多層セラミック基板の製造方法。
【請求項１１】
前記キャビティの底面を構成する基板用グリーンシートの直上に積層されるキャビティ形成用グリーンシートにキャビティ形状に応じて貫通孔を形成するとともに、この貫通孔内に前記収縮抑制材グリーンシート片を嵌合することを特徴とする請求項１０記載の多層セラミック基板の製造方法。
【請求項１２】
前記収縮抑制材グリーンシート片の厚さが前記基板用グリーンシートの厚さと略一致するように設定することを特徴とする請求項１１記載の多層セラミック基板の製造方法。
【請求項１３】
前記キャビティは開口寸法が深さ方向において段階的に小となる多段形状を有し、段差を有する各底面を構成する基板用グリーンシート上にそれぞれ収縮抑制材グリーンシート片を配することを特徴とする請求項１０から１２のいずれか１項記載の多層セラミック基板の製造方法。
【請求項１４】
前記収縮抑制材グリーンシート片と前記埋め込み用グリーンシートの間に焼失性シートを介在させることを特徴とする請求項１０記載の多層セラミック基板の製造方法。
【請求項１５】
前記キャビティの底面を構成する基板用グリーンシートの直上に積層されるキャビティ形成用グリーンシートにキャビティ形状に応じて貫通孔を形成するとともに、この貫通孔内に前記収縮抑制材グリーンシート片及び焼失性シートを嵌合することを特徴とする請求項１４記載の多層セラミック基板の製造方法。
【請求項１６】
前記収縮抑制材グリーンシート片と焼失性シートを合わせた厚さが前記基板用グリーンシートの厚さと略一致するように設定することを特徴とする請求項１５記載の多層セラミック基板の製造方法。
【請求項１７】
前記キャビティは開口寸法が深さ方向において段階的に小となる多段形状を有し、段差を有する各底面を構成する基板用グリーンシート上にそれぞれ収縮抑制材グリーンシート片及び焼失性シートを配することを特徴とする請求項１４から１６のいずれか１項記載の多層セラミック基板の製造方法。
【請求項１８】
前記焼失性シートは、樹脂材料により形成されていることを特徴とする請求項１４から１７のいずれか１項記載の多層セラミック基板の製造方法。
【請求項１９】
前記樹脂材料は、キャビティ形成用グリーンシートに含まれる樹脂材料と同一であることを特徴とする請求項１８記載の多層セラミック基板の製造方法。
【請求項２０】
キャビティ形成用グリーンシートにキャビティ形状に対応した切り込みを入れ、これによって分離された部分を前記埋め込み用グリーンシートとすることを特徴とする請求項１０から１９のいずれか１項記載の多層セラミック基板の製造方法。
【請求項２１】
キャビティ形成用グリーンシートにキャビティ形状に対応した貫通孔を形成し、この貫通孔に別途打ち抜き形成した埋め込み用グリーンシートを嵌合することを特徴とする請求項１０から１９のいずれか１項記載の多層セラミック基板の製造方法。
【請求項２２】
前記キャビティの開口側における最外層の基板用グリーンシート表面に配される収縮抑制材グリーンシートにキャビティの開口形状に応じた貫通孔を形成し、ここに埋め込み用グリーンシートを嵌合することを特徴とする請求項１０から２１のいずれか１項記載の多層セラミック基板の製造方法。
【請求項２３】
キャビティ部分の収縮抑制材グリーンシート片の厚さを補正することを特徴とする請求項１０から２２のいずれか１項記載の多層セラミック基板の製造方法。
【請求項２４】
前記キャビティの底面を構成する基板用グリーンシートの直上に積層されるキャビティ形成用グリーンシートの厚さを他のキャビティ形成用グリーンシートの厚さと異なるようにし、前記収縮抑制材グリーンシート片の厚さを収縮抑制用シートの厚さと異なるように設定することを特徴とする請求項２３記載の多層セラミック基板の製造方法。
【請求項２５】
前記キャビティの開口側とは反対側における最外層の基板用グリーンシート表面に配される収縮抑制材グリーンシートは、前記キャビティに対向する部分と他の部分とで厚さが異なるように設定することを特徴とする請求項２３または２４記載の多層セラミック基板の製造方法。
【請求項２６】
前記収縮抑制材グリーンシートは、所定の厚さを有する第１の収縮抑制材グリーンシートと、前記キャビティに対向する部分に貫通孔が形成された第２の収縮抑制材グリーンシートを積層することにより構成することを特徴とする請求項２５記載の多層セラミック基板の製造方法。
【請求項２７】
前記収縮抑制材グリーンシート及び収縮抑制材グリーンシート片は、収縮抑制材料として、石英、クリストバライト、トリジマイトから選ばれる少なくとも１種を含むことを特徴とする請求項１０から２６のいずれか１項記載の多層セラミック基板の製造方法。
【請求項２８】
前記収縮抑制材グリーンシート及び収縮抑制材グリーンシート片は、トリジマイトと難焼結性の酸化物を含む組成物により形成されていることを特徴とする請求項２７記載の多層セラミック基板の製造方法。
【請求項２９】
前記焼成の際の焼成温度を１０００℃以下とすることを特徴とする請求項１０から２８のいずれか１項記載の多層セラミック基板の製造方法。
【請求項３０】
前記焼成の後、残渣を洗浄する洗浄工程を行うことを特徴とする請求項１０から２９のいずれか１項記載の多層セラミック基板の製造方法。
【請求項３１】
前記洗浄工程は、溶剤中での超音波洗浄により行うことを特徴とする請求項３０記載の多層セラミック基板の製造方法。
【請求項３２】
前記洗浄工程は、ウエットブラストにより行うことを特徴とする請求項３０記載の多層セラミック基板の製造方法。
【発明の詳細な説明】
【技術分野】
【０００１】
本発明は、キャビティを有する多層セラミック基板及びその製造方法に関するものであり、特に無収縮焼成方法を適用してキャビティを有する多層セラミック基板を製造する際の製造方法の改良、及び前記製造方法により形成され特異的な形状のキャビティを有する多層セラミック基板に関する。
【背景技術】
【０００２】
電子機器等の分野においては、電子デバイスを実装するための基板が広く用いられているが、近年、電子機器の小型軽量化や多機能化等の要望に応え、且つ高信頼性を有する基板として、多層セラミック基板が提案され実用化されている。多層セラミック基板は、複数のセラミック層を積層することにより構成され、各セラミック層に配線導体や電子素子等を一体に作り込むことで、回路基板の高密度化が可能となっている。
【０００３】
そして、前記多層セラミック基板においては、電子機器のさらなる小型化、低背化等を進めることを目的に、電子デバイスを収納するキャビティ（凹部）が形成された多層セラミック基板も実用化されている。このようなキャビティ付き多層セラミック基板の場合には、キャビティ内に電子デバイスを収容した状態で実装することができるので、前述の要望をより十分に満足させることができ、多層セラミック基板自体の小型化、低背化を実現することも可能である。
【０００４】
ところで、前述の多層セラミック基板は、複数のグリーンシートを積層して積層体を形成した後、これを焼成することにより形成される。そして、前記グリーンシートは、この焼成工程における焼結に伴って必ず収縮し、多層セラミック基板の寸法精度を低下する大きな要因となっている。具体的には、前記収縮に伴って収縮バラツキが発生し、最終的に得られる多層セラミック基板においては、寸法精度は、０．５％程度に留まっている。
【０００５】
このような状況から、多層セラミック基板の焼成工程において、グリーンシートの面内方向の収縮を抑制し、厚さ方向にのみ収縮させる、いわゆる無収縮焼成方法が提案されている（例えば、特許文献１等を参照）。特許文献１等にも記載されるように、前記焼成温度でも収縮しないシートをグリーンシートの積層体に貼り付け、この状態で焼成を行うと、前記面内方向の収縮が抑制され、厚さ方向にのみ収縮する。この方法によれば、多層セラミック基板の面内方向の寸法精度を０．０５％程度にまで改善することが可能である。
【０００６】
ただし、前記キャビティを有する多層セラミック基板を作製する場合には、前記のような無収縮焼成方法を適用しても、必ずしも十分な寸法精度や平面度等が得られないという問題がある。これは、通常の無収縮焼成方法では、キャビティの底部に収縮抑制の拘束力が働かないことによる。キャビティの底部に収縮抑制の拘束力が働かないと、キャビティの底面の電子デバイス搭載に十分な平面度を確保することができず、電子デバイスの実装に支障をきたすおそれがある。
【０００７】
そこで、キャビティの底面にも収縮抑制シートを配し、前記の不都合を解消することが試みられている（例えば、特許文献２等を参照）。特許文献２記載の発明では、収縮抑制用無機材料を含む収縮抑制用シートをキャリアフィルム上で形成し、収縮抑制用シートに、キャビティの底面の輪郭に相当する形状の切り込みを入れ、切り込みの外側の部分を除去した後、生の基板用積層体を作製するための基板用セラミックグリーンシートの積層工程において、キャビティの底面を与える基板用セラミックグリーンシート上に、キャリアフィルム上に保持された収縮抑制用シートを転写し、キャビティの底面上に収縮抑制用シートが配置された状態で焼成工程を実施している。これにより、焼成後の基板用積層体の寸法精度を高くできるとともに、キャビティにおいて不所望な歪みを生じにくくすることができ、配線の高密度化を高い信頼性をもって達成することができるとしている。
【特許文献１】特開平１０−７５０６０号公報
【特許文献２】特開２００３−３１８３０９号公報
【発明の開示】
【発明が解決しようとする課題】
【０００８】
しかしながら、前記特許文献２記載の発明のように、キャビティの底面を与える基板用セラミックグリーンシート上に収縮抑制用シートを配置しただけでは、例えばキャビティの変形等の問題を完全に解消することは難しい。特に、多層セラミック基板の製造方法においては、複数のグリーンシートを積層した積層体のプレスが必要であり、前記キャビティを有する多層セラミック基板の製造方法では、プレス工程においてキャビティ開口部が潰れて変形する可能性が高い。また、焼成工程においても、キャビティ開口部周辺が盛り上がるという現象が見られ、やはり変形の原因となるおそれがある。
【０００９】
また、キャビティを有する多層セラミック基板を作製する別の方法として、グリーンシートを積層して焼成し、その後、焼結した積層体に穴開け加工を施すことも考えられる。しかしながら、焼結した積層体は硬くて脆いことから、精度の高い加工が難しく、高価な設備が必要となる等、製造コストの点でも問題が多い。
【００１０】
本発明は、このような従来の実情に鑑みて提案されたものであり、キャビティを有する多層セラミック基板を製造するに際して、寸法精度や平面度に優れた多層セラミック基板を簡単、且つ低コストで製造することが可能で、しかもキャビティ周辺部における変形等の発生も解消することが可能な製造方法を提供することを目的とする。
【課題を解決するための手段】
【００１１】
前述の目的を達成するために、本発明の多層セラミック基板の製造方法は、キャビティに対応して貫通孔が形成されたキャビティ形成用グリーンシートを含む複数の基板用グリーンシートを積層して積層体とし、これをプレスした後、焼成することによりキャビティを有する多層セラミック基板を形成する多層セラミック基板の製造方法であって、前記積層体の最外層となる基板用グリーンシートの表面にそれぞれ収縮抑制材グリーンシートを積層するとともに、前記キャビティの底面を構成する基板用グリーンシート上に収縮抑制材グリーンシート片を配し、さらに前記収縮抑制材グリーンシート片上に前記キャビティを埋める形で前記各キャビティ形成用グリーンシートとは分離された埋め込み用グリーンシートを配した状態で前記プレス及び焼成を行い、焼成後に前記埋め込み用グリーンシートの焼成物を除去することを特徴とする。
【００１２】
本発明の製造方法においては、前述の通り、キャビティの底部に露呈する基板用グリーンシート上にも収縮抑制材グリーンシート片を配した状態で無収縮焼成方法を実施しているので、寸法精度が確保され、また、キャビティ底面の平面度も十分に確保される。それと同時に、キャビティ内に埋め込み用グリーンシートを配した状態で積層体のプレスを行うようにしているので、キャビティの無い積層体と同様に平板の金型等によって容易にプレスすることが可能であり、キャビティ開口部の潰れやキャビティ開口部周辺の盛り上がり等により変形が生ずることもない。
【００１３】
前記製造方法において、前記埋め込み用グリーンシートは収縮抑制材グリーンシート片上に載置される形になるが、このとき収縮抑制材グリーンシートの拘束力が前記埋め込み用グリーンシートにも及ぶと、埋め込み用グリーンシートの収縮に伴う応力が収縮抑制材グリーンシートを介してキャビティ底部の基板用グリーンシートにも影響を与える可能性がある。前記の影響が懸念される場合には、前記埋め込み用グリーンシートと収縮抑制材グリーンシート片との間に拘束力が働かないようにすることが好ましく、これを規定したのが、本願の請求項１４記載の発明である。
【００１４】
すなわち、収縮抑制材グリーンシート片と前記埋め込み用グリーンシートの間に焼失性シートを介在させることを特徴とするものである。この場合には、前記埋め込み用グリーンシートは、焼失性シートを介して収縮抑制材グリーンシート上に載置されることになり、また、前記焼失性シートは、焼成に伴って速やかに焼失する。したがって、焼成時に前記埋め込み用グリーンシートに対して収縮抑制材グリーンシートの拘束力が働くことはなく、キャビティ底面が埋め込み用グリーンシートの収縮応力の影響を受けることがない。また、焼成に伴って前記埋め込み用グリーンシートは焼失し、埋め込み用グリーンシートの焼成物も速やかに除去される。
【００１５】
なお、本発明において、キャビティの底面とは、キャビティの深さ方向においていわゆる底部を構成する面が全て該当し、例えばキャビティが多段形状を有する場合には、最も深い部分の底面のみならず、これよりも浅く当該底面に対して段差を有する段差面も底面に該当するものとする。また、埋め込み用グリーンシートは、キャビティ形成用グリーンシートとは分離されていることが必要であるが、この場合の分離とは、例えば切り込みがキャビティ形成用グリーンシートの厚さ方向に貫通しているものだけでなく、切り込みがキャビティ形成用グリーンシートの厚さ方向に貫通していないものも含むものとする。
【００１６】
一方、前述の製造方法により製造される多層セラミック基板においては、キャビティの形状が従来のものとは異なる特異的な形状を呈する。これを規定したのが本発明の多層セラミック基板である。すなわち、本発明の多層セラミック基板は、複数のセラミック層が積層されるとともに、キャビティを有する多層セラミック基板であって、前記キャビティの開口部における開口面積が、前記キャビティの深さ方向中途位置における開口面積よりも小であることを特徴とする。
【００１７】
本発明の多層セラミック基板において、前記キャビティ形状は、例えばキャビティ内に電子デバイスを樹脂封止する場合に有利である。キャビティを有する多層セラミック基板では、キャビティ内に電子デバイスを収容し、さらに樹脂封止を行うことが多い。このような樹脂封止を行った場合、多層セラミック基板を構成するセラミックと封止を行う樹脂材料とで熱膨張率が異なることに起因して、封止した樹脂が剥離し脱落するという問題が発生する。特に、長期間に亘る温度変化の繰り返しにより、前記問題は顕著になる。本発明の多層セラミック基板では、前述の通り、キャビティの開口部における開口面積がキャビティの深さ方向中途位置における開口面積よりも小であることから、キャビティ内に充填して硬化した樹脂は、キャビティの開口部を通り抜けることができず、キャビティ内にいわば抱え込まれた形で物理的に保持される。したがって、封止した樹脂のセラミックからの剥離や脱落が防止され、また仮に樹脂が剥離したとしても、キャビティから脱落することはない。
【発明の効果】
【００１８】
本発明の製造方法によれば、キャビティを有する多層セラミック基板の製造において、寸法精度や平面度に優れた多層セラミック基板を製造することが可能であり、しかもキャビティ開口部の潰れやキャビティ開口部周辺における盛り上がり等の変形の無い多層セラミック基板を製造することが可能である。また、本発明の製造方法では、焼結後の穴開け加工が不要であるので、穴開けのための特別な設備も不要であり、簡単且つ低コストに前記多層セラミック基板を製造することが可能である。
【００１９】
一方、本発明の多層セラミック基板によれば、例えばキャビティ内に電子デバイスを収容して樹脂封止を行った場合に、長年に亘る多数回の熱ストレスを受けても、樹脂が剥離したり脱落することがない。したがって、高い信頼性を持った多層セラミック基板を実現することが可能である。
【発明を実施するための最良の形態】
【００２０】
以下、本発明を適用した多層セラミック基板の製造方法、さらには前記製造方法により作製され特異的なキャビティ形状を有する多層セラミック基板について、図面を参照して詳細に説明する。
【００２１】
（製造方法に関する第１の実施形態）
先ず、本実施形態において、製造対象となる多層セラミック基板について説明する。本実施形態において、製造対象となる多層セラミック基板は、電子デバイス等を収容するためのキャビティ（凹部）を有する多層セラミック基板である。
【００２２】
図１は、キャビティを有する多層セラミック基板１の最も単純なモデル例を示すものであり、本例の場合、複数（ここでは９層）のセラミック層２〜１０が積層一体化されている。これらセラミック層２〜１０のうち、下の２層２，３については、キャビティ形成のための貫通孔が形成されていない平坦なセラミック層であり、これらの中で上層となるセラミック層３の上面３ａの一部がキャビティの底部に臨み、キャビティの底面を構成することになる。
【００２３】
一方、前記セラミック層３上に積層される残りのセラミック層４〜１０は、キャビティに対応してそれぞれ貫通孔が形成されており、これら貫通孔が連なることにより、キャビティ１１が所定の空間として構成されている。キャビティ１１の開口形状は、例えば正方形であるが、これに限らず、長方形や長円形等、任意の形状とすることができる。ただし、キャビティ１１の開口形状を正方形や長方形とする場合には、角部に丸みを付け、円弧状とすることが好ましい。これにより角部において発生する応力を緩和することができ、角部に亀裂が発生する等の不都合を解消することができる。収縮抑制シートを用いた無収縮焼成法を採用した場合、前記キャビティ１１において、側壁が外側に引き込まれる形になり、キャビティ１１の開口形状における角部に応力が集中して亀裂が発生するおそれがある。角部に丸みを付け、円弧状とすることで、前記応力の集中を緩和することができ、亀裂の発生を防止することができる。この場合、円弧における曲率半径Ｒは、０．０５ｍｍ以上とすることが好ましい。前記曲率半径Ｒは、収縮抑制シートの厚さに応じて設定することがより好ましく、例えば収縮抑制シートの厚さが７５μｍの場合には、前記曲率半径Ｒを０．１ｍｍ以上とすることで亀裂が発生することがなかった。収縮抑制シートの厚さを２５０μｍとした場合には、前記曲率半径Ｒを０．５１ｍｍ以上とすることで亀裂が発生することがなかった。また、図示はしていないが、キャビティ１１の底面には、電子デバイスを搭載するための導体パターンを設けてあることが通常であり、放熱用のビアホール等が設けてある場合もある。
【００２４】
前述のようなキャビティ１１を有する多層セラミック基板１は、複数のグリーンシートを積層し、これをプレスして積層体とした後、焼成することで作製するが、寸法精度を確保するために、焼成時の収縮を抑制する必要がある。また、それだけでは不十分であり、例えばプレス工程の際のキャビティ１１の開口部の潰れや、キャビティ１１の開口部周辺の盛り上がりによる変形を解消する必要がある。
【００２５】
そこで、本実施形態では、無収縮焼成方法を採用するとともに、キャビティに相当する空間内に埋め込み用グリーンシートを配した状態でプレス工程や焼成工程を行い、プレス時の潰れ等を解消するようにする。以下、本実施形態の多層セラミック基板の製造プロセスについて説明する。
【００２６】
本実施形態の製造プロセスの工程フローを図２に示す。本実施形態の製造プロセスは、図２に示す通り、基本的には、積層体形成工程（ステップＳ１）と焼成工程（ステップＳ２）、キャビティ形成工程（ステップＳ３）とを少なくとも有するものである。これらに加えて、収縮抑制シート除去工程（ステップＳ４）を有していても良い。積層体形成工程（ステップＳ１）には、グリーンシート形成工程（ステップＳ１１）、複合グリーンシート形成工程（ステップＳ１２）、切り込み形成工程（ステップＳ１３）、ビアホール形成工程（ステップＳ１４）、導体印刷工程（ステップＳ１５）、積層工程（ステップＳ１６）、及びプレス工程（ステップＳ１７）が含まれる。
【００２７】
以下、各工程について説明すると、前述の多層セラミック基板を作製するには、先ず、積層体形成工程（ステップＳ１）における最初の工程であるグリーンシート形成工程（ステップＳ１１）を行う。このグリーンシート形成工程（ステップＳ１１）では、図３（ａ）に示すセラミックグリーンシート（基板用グリーンシートに相当する。）２１と、図３（ｂ）に示す収縮抑制材グリーンシート２２とを形成する。これらセラミックグリーンシート２１及び収縮抑制材グリーンシート２２は、通常、プラスチックシート等の支持体２３の表面に密着させて形成する。支持体２３として使用するプラスチックシートは、表面が平滑なシートであれば如何なるものであっても良いが、例えばＰＥＴ（ポリエチレンテレフタレート）シート等が好ましい。支持体２３の厚さは、工程中に変形せず、且つ扱いやすい厚さであることが好ましく、一般的には５０〜１５０μｍである。
【００２８】
前記セラミックグリーンシート２１の作製方法としては、例えば、セラミック粉末と有機ビヒクルを混合してスラリー（誘電体ペースト）を調製し、これをドクターブレード法等のシート成形法により支持体２３（ＰＥＴシート等の樹脂シート）上に成膜する方法等を挙げることができる。作製する多層セラミック基板をガラスセラミック基板とする場合には、セラミック粉末に加えてガラス粉末を用い、これらを有機ビヒクルと混合したスラリーを使用すればよい。
【００２９】
なお、有機ビヒクルとは、バインダを有機溶剤中に溶解したものであり、主としてテルピネオール、ブチルカルビトール、アセトン、トルエン、イソプロピルアルコール等の溶媒、エチルセルロース、ポリビニルブチラール等のバインダ、ジ−ｎ−ブチルフタレート等の可塑剤で構成される。有機ビヒクルの含有量は、特に限定されず、通常の含有量、例えば、バインダは１〜５質量％、溶剤は１０〜５０質量％とすればよい。
【００３０】
誘電体ペーストは、前述のように有機ビヒクルを含有する有機系塗料としてもよいし、水に水溶性バインダ、分散剤等を溶解させた水溶系塗料としてもよい。ここで、水溶系バインダは、特に限定されず、ポリビニルアルコール、セルロース、水溶性アクリル樹脂、エマルジョン等から適宜選択すればよい。
【００３１】
また、前記の通り、誘電体ペーストにはセラミック粉末が含まれるが、当該セラミック粉末を構成する誘電体磁器組成物の組成等は任意である。したがって、セラミック粉末の作製に当たっては、誘電体磁器組成物の組成に応じて原料（主成分及び副成分）を選択すればよい。この場合、原料である主成分や副成分の材料形態は特に限定されない。また、原料である主成分及び副成分としては、酸化物や、焼成により酸化物となる化合物が用いられる。なお、焼成により酸化物になる化合物としては、例えば炭酸塩、硝酸塩、シュウ酸塩、有機金属化合物等が例示される。勿論、原料として、酸化物と、焼成により酸化物になる化合物とを併用してもよい。原料中の各成分の含有量は、焼成後に前記誘電体磁器組成物の組成となるように決定すればよい。また、前記セラミック粉末の製法も任意であり、例えば液相合成法、あるいは固相法のいずれから得られた粉末であっても良い。
【００３２】
ＬＴＣＣ基板であるガラスセラミック基板を作製する場合には、前記の通りセラミック粉末（セラミック成分）とガラス粉末（ガラス成分）を併用するが、このときこれらガラス成分とセラミック成分は、目的とする比誘電率や焼成温度に基づいて適宜選択すればよい。具体的には、１０００℃以下で焼成してガラスセラミック基板とすることが可能なアルミナ（セラミック成分：結晶相）と酸化ケイ素（ガラス成分：ガラス相）の組み合わせを例示することができる。その他、セラミックス成分としては、マグネシア、スピネル、シリカ、ムライト、フォルステライト、ステアタイト、コージェライト、ストロンチウム長石、石英、ケイ酸亜鉛、ジルコニア、チタニア等を用いることができる。ガラス成分としては、ホウケイ酸ガラス、ホウケイ酸バリウムガラス、ホウケイ酸ストロンチウムガラス、ホウケイ酸亜鉛ガラス、ホウケイ酸カリウムガラス等を用いることができる。ガラス成分は６０〜８０体積％とし、骨材であるセラミックス成分を４０〜２０体積％とすることが好ましい。ガラス成分が前記範囲を外れると複合組成物となり難く、強度及び焼結性が低下するからである。
【００３３】
一方、収縮抑制材グリーンシート２２の作製方法も、前記セラミックグリーンシート２１の作製方法と基本的には同様であるが、グリーンシートに含まれる成分が異なる。すなわち、収縮抑制材グリーンシート２２は、セラミックグリーンシート２１が焼結する温度では収縮し難い収縮抑制材料からなり、自身の収縮が抑制されたグリーンシートである。収縮抑制材料としては、石英、クリストバライト、若しくはトリジマイトの少なくとも一種を含む組成物等が使用可能である。あるいは、アルミナを含む組成物としても良い。
【００３４】
これらの収縮抑制材料は、セラミックグリーンシート２１に含まれるセラミック成分やガラス成分の焼成温度では焼結しないか、あるいは一部しか焼結しないため、セラミックグリーンシート２１の焼成温度では収縮が生じない。したがって、前記収縮抑制材料から構成される収縮抑制材グリーンシート２２を、セラミックグリーンシート２１と密着して積層すれば、セラミックグリーンシート２１の焼成時の平面方向の収縮を抑制するように働く。
【００３５】
なお、収縮抑制材グリーンシート２２の形成に際しては、前記収縮抑制材料（石英、クリストバライト、若しくはトリジマイトの少なくとも一種を含む組成物）に加えて焼結助剤を含有させてもよく、この場合にも同様の効果を得ることができる。焼結助剤を含有させた場合には、当該焼結助剤がセラミック成分やガラス成分の焼成温度で焼結するが、収縮抑制材料である石英、クリストバライト、若しくはトリジマイトの熱膨張係数がそれぞれ約２０ｐｐｍ／℃、約５０ｐｐｍ／℃、約４０ｐｐｍ／℃であり、セラミック成分やガラス成分に比べて大きいことから、焼結助剤が焼成後に収縮したとしても焼成前と焼成後の寸法変化が相殺され、セラミックグリーンシート２１の収縮を抑制することができる。
【００３６】
焼結助剤を併用する場合、使用する焼結助剤としては、セラミック成分やガラス成分の焼結開始温度以下で軟化するか、液相を生成する酸化物を挙げることができる。前者を用いた場合は、焼結助剤が軟化することによって前記収縮抑制材料の粒子同士が結合するため焼結し、後者を用いた場合は、収縮助剤が液相を生成することによって前記収縮抑制材料の粒子表面が反応し、粒子同士が結合するため焼結することとなる。焼結助剤として用いられる酸化物としては、特に限定されるものではないが、珪酸鉛アルミガラス、珪酸鉛アルカリガラス、珪酸鉛アルカリ土類ガラス、ホウ珪酸鉛ガラス、ホウ珪酸アルカリガラス、ホウ酸アルミ鉛ガラス、ホウ酸鉛アルカリガラス、ホウ酸鉛アルカリ土類ガラス、ホウ酸鉛亜鉛ガラス等を挙げることができ、これらのうちの一種以上を選択して用いればよい。
【００３７】
また、焼結助剤としてアルカリ金属化合物を用いることも可能である。アルカリ金属化合物にはＳｉＯ２の焼結の進行を促す効果がある。したがって、石英、クリストバライト、及びトリジマイトの少なくとも一種を含む組成物にアルカリ金属化合物を添加すれば、セラミックグリーンシート２１の焼成に伴って収縮抑制材グリーンシート２２が僅かに焼結することとなる。ここで、アルカリ金属化合物は特に限定されないが、例えば、炭酸リチウム、炭酸カリウム、炭酸ナトリウム、酸化リチウム、酸化カリウム等を挙げることができる。
【００３８】
さらに、収縮抑制材グリーンシート２２に使用する材料として、トリジマイトと難焼結性の酸化物を含む組成物を用いることも可能である。トリジマイトは、組成の選択により焼結温度を種々変化させることができる材料である。ただし、トリジマイトは熱膨張係数が大きく、温度によっては熱膨張係数が４０ｐｐｍ／℃にも達する。このため、例えばガラスセラミック材料（約３〜１０ｐｐｍ／℃）との熱膨張差がありすぎて、セラミックグリーンシート２１が焼結する前に剥れてしまうことがある。そこで、これを防ぐためにセラミックグリーンシート２１の焼成温度で焼結しない酸化物を加えて熱膨張係数を調節し、セラミックグリーンシート２１が焼結する前に剥れてしまうことを抑止する。セラミックグリーンシート２１の焼成過程において焼結しない酸化物としては、特に限定されないが、例えば石英、溶融石英、アルミナ、ムライト、ジルコニア等を挙げることができる。
【００３９】
以上のようにしてセラミックグリーンシート２１や収縮抑制材グリーンシート２２を作製するが、これらセラミックグリーンシート２１や収縮抑制材グリーンシート２２の一層当たりの厚さは、後述するビア電極や内部電極の形成を考慮して、２０μｍ〜３００μｍ程度とすることが好ましい。
【００４０】
前記セラミックグリーンシート２１及び収縮抑制材グリーンシート２２の作製の後、複合グリーンシート形成工程（ステップＳ１２）において、これらを利用して複合グリーンシート（セラミックグリーンシートと収縮抑制材グリーンシートとを組み合わせたグリーンシート）を作製する。ここで作製する複合グリーンシートは、キャビティの底面を構成する基板用グリーンシート（セラミックグリーンシート）の直上に積層される第１複合グリーンシートと、最上層の収縮抑制材グリーンシートとして積層される最上層複合グリーンシートである。
【００４１】
第１複合グリーンシート２６を作製するには、図４（ａ）に示すように、先ず、前記グリーンシート形成工程（ステップＳ１１）で作製したセラミックグリーンシート２１に第１貫通孔２４を設ける。第１貫通孔２４は、例えばセラミックグリーンシート２１を支持体２３の表面に密着させたままの状態で、セラミックグリーンシート２１の所定の部分をパンチャーの金型で打ち抜いて形成しても良く、レーザ光、マイクロドリル、パンチング等により形成しても良い。第１貫通孔２４はキャビティ形状に対応して形成されるものであり、その形状は特に限定されず、例えば正方形であっても良く、長方形や円形等であっても良い。
【００４２】
次いで、グリーンシート形成工程（ステップＳ１１）で作製した収縮抑制材グリーンシート２２を、支持体２３の上で前記第１貫通孔４と略同形状に切断し、第１嵌合シート２５（収縮抑制材グリーンシート片に相当する。）とする。これをセラミックグリーンシート２１の第１貫通孔２４に嵌め込み、第１複合グリーンシート２６を形成する。このとき、第１複合グリーンシート２６を平坦なものとするために、セラミックグリーンシート２１と第１嵌合シート２５の厚さは同一とすることが好ましい。
【００４３】
最上層複合グリーンシート２９の作製方法も先の第１複合グリーンシート２６の作製方法と同様であるが、最上層複合グリーンシート２９においては、図４（ｂ）に示すように、収縮抑制材グリーンシート２２に貫通孔を設け、ここにセラミックグリーンシート片を嵌め合わせる。すなわち、グリーンシート形成工程（ステップＳ１１）で作製した収縮抑制材グリーンシート２２に、キャビティの開口に応じた第２貫通孔２７を設ける。第２貫通孔２７の形成方法は、前述の第１貫通孔２４と同じである。そして、グリーンシート形成工程（ステップＳ１１）で作製したセラミックグリーンシート２１を、支持体２３の上で前記第２貫通孔２７と略同形状に切断し、第２嵌合シート２８とする。収縮抑制材グリーンシート２２の第２貫通孔２７に第２嵌合シート２８を嵌め込み、支持体２３から剥離して最上層複合グリーンシート２９とする。なお、この場合にも、最上層複合グリーンシート２９を平坦なものとするために、収縮抑制材グリーンシート２２と第２嵌合シート２８の厚さは同一とすることが好ましい。
【００４４】
切り込み形成工程（ステップＳ１３）では、前記セラミックグリーンシート２１に切り込みを形成し、キャビティ形成用グリーンシートとする。すなわち、切り込み形成工程（ステップＳ１３）では、グリーンシート形成工程（ステップＳ１１）で作製したセラミックグリーンシート２１に切り込み（若しくは不連続部）３１を設け、図５に示すような切り込み形成シート３０とする。切り込み３１とは、セラミックグリーンシート２１の厚さ方向に貫通している不連続部のことである。なお、不連続部にはシートの厚さ方向に貫通していないものも含む。切り込み３１は、切り込み形成シート３０を先に作製した第１複合グリーンシート２６に重ねたときに、第１貫通孔２４と重なるように、第１貫通孔２４と同位置、略同形状に形成される。切り込み３１は、セラミックグリーンシート２１を支持体２３の表面に密着させたままの状態で、セラミックグリーンシート１の所定の部分にパンチャーの金型を押し付けて形成しても良く、レーザ光、マイクロドリル、パンチング等により形成しても良い。
【００４５】
なお、切り込み形成工程（ステップＳ１３）は、セラミックグリーンシート２１の１枚毎に切り込みを設けることとしても良く、２枚以上のセラミックグリーンシート２１を重ねた後にまとめて切り込みを設けることとしても良い。いずれの場合においても、切り込み形成シート３０では、切り込み３１により分離された部分３０ａをそのまま残し、積層及び焼成の際に埋め込み用グリーンシートとして利用する。
【００４６】
以上により作製した第１複合グリーンシート２６や切り込み形成シート３０、さらにはキャビティの底面を構成するセラミックグリーンシート等、焼成後に多層セラミック基板の各セラミック層を構成するセラミックグリーンシート（以下、これらを併せて「誘電体層シート」と称する。）には、ビアホールやビア電極、内部電極パターン等を形成する。
【００４７】
例えばビアホール形成工程（ステップＳ１４）では、誘電体層シートにビア電極を形成するための孔であるビアホールを形成する。ビアホールは、レーザ光、マイクロドリル、パンチング等により形成する。誘電体層シートにレーザ光を照射すると、誘電体層シートのセラミック粉末やバインダ樹脂を昇華させることで孔をあけることができる。使用するレーザは、波長の短いＵＶ−ＹＡＧレーザやエキシマレーザが好ましい。このようにレーザ光を使用してビアホールを形成すれば、ビアホールの径を容易に１００μｍ以下にすることができる。また、マイクロドリルやパンチングは、レーザ光に比べビアホールの径を小さくすることは難しいが、低コストで加工できるというメリットがある。いずれにしても、これらの手法により形成されるビアホールに導電体ペーストを充填することで、微少なビア電極を精度良く形成できる。
【００４８】
導体印刷工程（ステップＳ１５）では、ビアホール形成工程（ステップＳ１４）で形成したビアホールに導電性ペーストを充填し、ビア電極を形成する。導電性ペーストとしては、例えば銅、銀、銀パラジウム、パラジウム、ニッケル等の金属粉末又は合金粉末を含有して、所定の流動性を有する粘度に調整されたビア電極ペーストを用いる。また、導体印刷工程（ステップＳ１５）では、誘電体層シートの表面に内部電極パターンを所定のパターンで印刷する。内部電極パターンのペーストは前述の導電性ペーストと同様、例えば銅、銀、銀パラジウム、パラジウム、ニッケル等の金属粉末又は合金粉末を含有して、所定の流動性を有する粘度に調整された内部電極ペーストを用いる。内部電極ペーストとビア電極ペーストは異なる材料であっても良い。
【００４９】
なお、誘電体層シートの構成材料が耐還元性を有しており、導電材料に安価な卑金属を用いることもできるので、導電材料としてはニッケルあるいはニッケル合金を用いても良い。ニッケル合金としては、マンガン、クロム、コバルトおよびアルミニウムなどから選択される１種以上の元素とニッケルとの合金が好ましく、合金中におけるニッケルの含有量は９５質量％以上であることが好ましい。なお、ビア電極及び内部電極パターンは、リン（Ｐ）などの各種微量成分を０．１質量％程度以下含有していても良い。内部電極パターンの厚さは用途に応じて適宜決定されるが、例えば、１μｍ〜１５μｍ程度であることが好ましく、２．５μｍ〜１０μｍ程度であればより好ましい。
【００５０】
ビア電極ペースト、あるいは内部電極ペーストは、誘電体ペーストと同様のビヒクルと混練して作製される。ビア電極ペースト或いは内部電極ペーストにおけるビヒクルの含有量は誘電体ペーストと同様に調整する。また、ビア電極ペースト或いは内部電極ペーストには、必要に応じて分散剤、可塑剤、誘電体材料、絶縁体材料などの添加物を添加してもよい。その添加量は、合計で１０質量％以下とすることが好ましい。
【００５１】
続いて、ビア電極ペースト或いは内部電極ペーストを誘電体層シートに印刷し、ビア電極或いは内部電極パターンを形成する。ビア電極は、ビア電極ペーストを例えば穴埋め印刷により充填して固化させることにより形成する。内部電極パターンは、例えば、セラミックグリーンシート２１に内部電極ペーストをスクリーン印刷により所定のパターンで塗布することにより形成する。
【００５２】
前記により各誘電体層シートにビア電極や内部電極パターンを形成した後、積層工程（ステップＳ１６）において作製した各シートを積層し、積層体３２を形成する。この積層工程（ステップＳ１６）から収縮抑制シート除去工程（ステップＳ４）までにおける積層体の構成を図６（ａ）から図６（ｄ）に示す。なお、図６（ｃ）に示す工程と図６（ｄ）に示す工程については、順序が逆になる場合や、あるいは同時に行われる場合もあることを付記しておく。
【００５３】
前記積層工程（ステップＳ１６）では、図６（ａ）に示すように、最下層から収縮抑制グリーンシート２２、セラミックグリーンシート２１、第１複合グリーンシート２６、切り込み形成シート３０、最上層複合グリーンシート２９の順に積層する。なお、各シートは少なくとも１枚以上あれば良く、複数枚であっても良い。本例の場合、セラミックグリーンシート２１を２枚積層し、その上に第１複合グリーンシート２６及び６枚の切り込み形成シート３０を積層している。したがって、これら９層が基板用グリーンシートに相当することになり、第１複合グリーンシート２６及び６枚の切り込み形成シート３０がキャビティ形成用グリーンシートに相当することになる。積層体３２の構成は、上下が逆であっても良く、収縮抑制グリーンシート２２を挟んで上下に同様に各シートが積層されても良い。
【００５４】
また、例えば前述のように切り込み形成シート３０を２枚以上積層する場合、各切り込み形成シート３０の材質を同じとしても良いし、あるいは各切り込み形成シート３０の材質を異なる材質としてもよい。ただし、後者の場合、各切り込み形成シート３０において、プレス時の圧縮率、焼成時の収縮率、熱膨張係数等が略等しくなるようにすることが好ましい。これにより、各切り込み形成シート３０の圧縮率、収縮率、熱膨張係数の差から生じる基板の反りを抑制することができる。
【００５５】
このようにして積層される積層体３２の全体の厚さは、多層セラミック基板の小型化及び低背化の要求から、１ｍｍ以下であることが好ましい。また、積層体３２のうち、キャビティを構成する部分となるキャビティ形成用グリーンシート（６枚の切り込み形成シート１０及び第１複合グリーンシート２６）の積層高さ（キャビティの深さに相当する。）は、キャビティに収容する電子デバイスの寸法に合わせて設定する。
【００５６】
前記積層工程（ステップＳ１６）の後、プレス工程（ステップＳ１７）を行うが、このプレス工程（ステップＳ１７）は、積層工程（ステップＳ１６）で作製した積層体３２を圧着する工程である。圧着は通常の上下パンチが平坦な金型に入れて行なう。圧着の条件は、圧着の圧力が３０〜８０ＭＰａで、圧着時間は１０分程度が好ましい。本実施形態では、積層体３２の最上層面、最下層面がそれぞれ平坦面となっており、さらに、キャビティを形成する部分に切り込み３１により分離された部分３１ａをそのまま残し、埋め込み用グリーンシートとしてこれを埋める形としているので、プレスを行なう際に均一に圧力をかけることができる。したがって、従来技術のようにキャビティの開口部が、付加する圧力で潰れて変形したり、損傷を生じたりすることはない。
【００５７】
次に、焼成工程（ステップＳ２）を行う。焼成工程（ステップＳ２）では、プレス工程（ステップＳ１７）で圧着した積層体３２を焼成する。なお、焼成に際しては、通常、作製した積層体３２に対して脱バインダ処理を行うが、この場合の脱バインダ処理条件は通常のもので良い。脱バインダ処理を行った後、焼成を行い、積層焼成体３４を形成する。焼成時の雰囲気は、特に限定されない。一般に、ビア電極及び内部電極パターンにニッケルあるいはニッケル合金等の卑金属を用いる場合には、還元性雰囲気とすることが好ましい。焼成温度は８００℃〜１０００℃とすることが好ましい。導体材料や抵抗材料を同時焼成することができ、このような多層セラミック基板は、高周波重畳モジュール、アンテナスイッチモジュール、フィルタモージュール等のＬＴＣＣモジュール用として使用することができる。
【００５８】
焼成工程（ステップＳ２）を施した積層焼成体３４は、図６（ｂ）に示すように、切り込み形成シート３０の切り込み３１の内側の部分３０ａがキャビティから突出する。これは、以下の理由による。積層体３２を焼成すると、誘電体層シートであるセラミックグリーンシート２１と第１複合グリーンシート２６、及び切り込み形成シート３０は焼結し、収縮しようとする。このとき、セラミックグリーンシート２１は、下層の収縮抑制グリーンシート２２に密着している。収縮抑制グリーンシート２２は前述の通り、誘電体層シートの焼成温度では収縮しない。このためセラミックグリーンシート２１の平面方向の収縮が抑制される。また、切り込み形成シート３０の切り込み３１の外側部分３０ｂは、上層の最上層複合グリーンシート２９に密着しているので、同様に収縮が抑制される。さらに、キャビティの底部においては、セラミックグリーンシート２１は第１複合グリーンシート２６の第１嵌合シート２５と密着しているので、同様に収縮が抑制される。
【００５９】
これに対して、切り込み形成シート３０の切り込み３１の内側部分３０ａは、上層側に収縮抑制のシートが無いため、収縮が抑制されない。したがって、切り込み１３の内側部分３０ａは、平面方向に収縮し、切り込み３１の外側部分３０ｂから分離される。この収縮は、キャビティ底部の第１嵌合シート２５から上層方向に離れるにしたがって大きくなり、切り込み３１の内側部分３０ａが平面方向に収縮した分だけ、厚さ方向の収縮率は小さくなる。したがって、第１嵌合シート２５と第２嵌合シート２８とこれらの間に挟まれた部分（前記切り込み３１の内側部分３０ａ）は、焼成後には積層焼成体３４の表面から突出した形になる。
【００６０】
前述のように、第１嵌合シート２５や第２嵌合シート２８、これらの間に挟まれた部分（前記切り込み３１の内側部分３０ａ）は、セラミックグリーンシート２１や切り込み形成シート３０の切り込み３１の外側部分３０ｂ等とは異なる収縮状態となり、例えば切り込み形成シート３０の切り込み３１の内側部分３０ａは外側部分３０ｂから完全に分離される。また、底部においても、前記第１嵌合シート２５が焼成により脆化しており、この部分での拘束力も弱くなっている。したがって、キャビティを埋めていた第１嵌合シート２５や第２嵌合シート２８、これらの間に挟まれた部分（前記切り込み３１の内側部分３０ａ）は、小さな刺激で脱落させることができ、これによりキャビティ３５を形成することができる。なお、キャビティの形状が複雑な場合においても容易に切り込み３１の内側部分３０ａを脱落させることができる。また、切り込み３１の内側部分３０ａを脱落させるためには、小さな力を加えることとしても良い。
【００６１】
すなわち、図６（ｃ）に示すように、前記第１嵌合シート２５や第２嵌合シート２８、これらの間に挟まれた部分（前記切り込み３１の内側部分３０ａ）を除去してキャビティを形成するとともに、必要に応じて収縮抑制シート除去工程（ステップＳ４）を行う。収縮抑制シート除去工程（ステップＳ４）では、図６（ｄ）に示すように、積層焼成体３４の最上層のシート３５や最下層のシート３６（収縮抑制材グリーンシート２２や最上層複合グリーンシート２９の焼成物）を除去する。これらを除去する方法は、積層焼成体３４を溶剤中で通常の超音波洗浄を行なうこととしても良く、積層焼成体３４にウェットブラストを施すこととしても良い。ウェットブラストは、水に研磨剤を混合した液体をコンプレッサからの圧縮空気で加速させ、被加工物に吹きつけて、洗浄と表面処理を同時に行なう方法である。また、収縮抑制材グリーンシート２２をトリジマイト−シリカ系やクリストバライト−シリカ系等の材料で形成した場合、焼成後、最上層のシート３５と最下層のシート３６の主要部分は自然剥離するので、僅かに残る部分を洗浄すれば良い。
【００６２】
以上の工程の他、必要に応じて切断工程、研磨工程等を行い、図１に示す多層セラミック基板１を得る。切断工程では、ダイヤモンドスクライブで分割しても良く、積層焼成体３４が厚い場合はダイシング方式で切断しても良い。研磨工程は、例えばラッピングにより行なう。ラッピングは回転定盤に砥粒を含まず、加工液中に砥粒を含ませ、加工対象を砥ぐ加工法である。また、湿式バレルを用いる方法としても良い。
【００６３】
製造される多層セラミック基板１には、電子デバイス４０が搭載されるが、この電子デバイス４０を搭載した状態を図７に示す。図７に示すように、電子デバイス４０は多層セラミック基板１のキャビティ１１の中に収容される。電子デバイス４０は、ボンディングワイヤ４１で多層セラミック基板１に形成された電極（図示は省略する。）に接続される。電極は、多層セラミック基板１の表面に印刷された表面電極、ビア電極、さらには多層セラミック基板１の内部に印刷された内部電極等である。このように本実施形態の製造方法により作製される多層セラミック基板は、電子デバイスを多層セラミック基板の内部に収容でき、小型化及び低背化の要求を満足することができる。
【００６４】
（製造方法に関する第２実施形態）
本実施形態と先の第１の実施形態との相違は、キャビティを多段形状のキャビティ（本例の場合、二段形状の二段底キャビティ）とすることである。したがって、二段底キャビティとするために、キャビティの一番深い底面に対応して第１複合グリーンシートを配する他、キャビティの二段目の底面（段差面）に対応して第２複合グリーンシートを配すること、貫通孔の大きさが異なる切り込み形成シートを積層することが工程上の相違点である。
【００６５】
本実施形態では、複合グリーンシート形成工程（ステップＳ１２）において、図８（ａ）に示す第２複合グリーンシート４３を形成する。第２複合グリーンシート４３の作製に際しては、先ず、グリーンシート形成工程（ステップＳ１１）で作製したセラミックグリーンシート２１に前述の第１貫通孔２４と重なり且つ第１貫通孔２４よりも大きな第３貫通孔４４を設ける。第３貫通孔４４の形成方法は、前述の第１貫通孔２４の形成方法と同様である。
【００６６】
そして、グリーンシート形成工程（ステップＳ１１）で作製した収縮抑制材グリーンシート２２を、第３貫通孔４４と略同形状に切断し、第３嵌合シート４５とし、第３貫通孔４４に嵌め込む。さらに、この嵌め込まれた第３嵌合シート４５に第１貫通孔２４と同位置、且つ略同形状となる第４貫通孔４６を設け、ここにセラミックグリーンシート２１を第４貫通孔４６と略同形状に切断した第２嵌合シート２８を嵌め込む。このようにして、第２複合グリーンシート４３を形成する。第２複合グリーンシート４３の作製に際しては、前記手順とは逆に、先に第２嵌合シート２８を第４貫通孔４６に嵌め込み、後に第３嵌合シート４５を、第３貫通孔４４に嵌め込むこととしても良い。
【００６７】
また、本実施形態では、切り込み形成工程（ステップＳ１３）において、図８（ｂ）に示すように、第１実施形態における切り込み形成シート３０とは別の切り込み形成シート（第２切り込み形成シート４７）を形成する。この第２切り込み形成シート４７と先の切り込み形成シート３０との相違は、切り込み４８の寸法が切り込み３１の寸法よりも大きいことである。具体的には、第２切り込み形成シート４７では、切り込み４８は、第２複合グリーンシート４３の第３貫通孔４４と同位置で略同形状とする。
【００６８】
本実施形態において各シートを積層した積層体４９の例を図９（ａ）に示す。下から順に以下のように積層される。すなわち、最下層から収縮抑制グリーンシート２２、セラミックグリーンシート２１、第１複合グリーンシート２６、切り込み形成シート３０、第２複合グリーンシート４３、第２切り込み形成シート４７、最上層複合グリーンシート２９の順に積層する。なお、各シートの積層枚数は、収縮抑制グリーンシート２２、第１複合グリーンシート２６、第２複合グリーンシート４３、及び最上層複合グリーンシート２９については１枚である。勿論、これらを複数枚重ねて使用することとしても良い。セラミックグリーンシート２１、切り込み形成シート３０、及び第２切り込み形成シート４７については、多層セラミック基板に求められる層間の電極パターン構成や内部に搭載する電子デバイスの寸法に依存し、通常は２枚以上使用する。本例の場合、セラミックグリーシート２１を２枚、切り込み形成シート３０を６枚、第２切り込み形成シート４７を４枚重ねている。勿論、これに拘束されるものでなく、各シートの積層数は任意である。また、積層体４９は、図９（ａ）に示したキャビティの他に、例えば収縮抑制グリーンシート２２側に別個のキャビティを有していても良い。
【００６９】
前記積層体４９を焼成すると、図９（ｂ）に示すように、キャビティを埋めていた部分４９ａが平面方向に収縮し、キャビティから突出する形になる。そして、先の第１の実施形態と同様、この部分を除去し、必要に応じて収縮抑制シート除去工程（ステップＳ４）等を行うことで、図９（ｃ）に示すように、二段底キャビティ５１を有する多層セラミック基板５０を完成する。
【００７０】
二段底キャビティ５１を有する多層セラミック基板５０に電子デバイス４０を搭載した例を図１０に示す。図１０に示すように、電子デバイス４０は下側のキャビティ部５１ａの中に収容される。電子デバイス４０は、ボンディングワイヤ４１で上側のキャビティ部５１ｂの底部の電極に接続される。このように本実施形態の製造方法により作製される多層セラミック基板５０は、電子デバイス４０及びボンディングワイヤ４１を多層セラミック基板５０の内部に収容できる。これにより、多層セラミック基板の表面からボンディングワイヤなどが突出することなく平坦にできる。また、内部に複数の誘電体層を持つ多層セラミック基板においても、電子デバイスを高密度に実装でき、小型化及び低背化の要求を満足することができる。
【００７１】
なお、本実施形態の多層セラミック基板の製造方法を応用することにより、多層セラミック基板の内部に三段底以上の多段底キャビティを形成することもできる。例えば、前記積層体形成工程において、前記第２貫通孔と同位置で略同形状の切り込み若しくは不連続部が設けられているセラミックグリーンシートと前記最上層複合グリーンシートとの間に、下から順に、セラミックグリーンシートに、前記第２貫通孔と重なり且つ該第２貫通孔よりも大きな第４貫通孔を設け、該第４貫通孔と略同形状で同厚さの収縮抑制グリーンシートを該第４貫通孔に嵌め込み、該第４貫通孔に嵌めこんだ該収縮抑制グリーンシートに、前記第２貫通孔と同位置且つ略同形状となる第５貫通孔を設け、該第５貫通孔と略同形状で同厚さのセラミックグリーンシートを該第５貫通孔に嵌め込んだ第３複合グリーンシートと、前記第４貫通孔と同位置で略同形状の切り込み若しくは不連続部が設けられているセラミックグリーンシートと、をそれぞれ少なくとも１枚が重なって挟まれた状態とする。そして、積層方向にプレスして積層体を形成する。これにより、キャビティ形成工程を経ることで、三段底キャビティを形成できる。
【００７２】
（製造方法に関する第３の実施形態）
例えば、第１の実施形態の製造方法において、多層セラミック基板の層構造によっては上下の収縮抑制力のバランスが取れず、極端に描けば例えば図１１に示すようにキャビテイ底面部が変形することがある。このような場合には、底面を挟む収縮抑制材グリーンシートの厚さを調整してやればよい。本実施形態は、このような調整を行った例である。
【００７３】
すなわち、図１２に示すように、キャビテイ形成部に収縮抑制材グリーンシート片（第１嵌合シート２５）を嵌め合わせた第１複合グリーンシート２６の厚さを調整する。この場合、前記厚さの変化を補正するためは、第１嵌合シート２５の厚さのみを調整すればよいが、第１複合グリーンシート全体の厚さを調整するようにしてもよい。あるいは、図１３に示すように、収縮抑制材グリーンシート２２のキャビティに対応する部分の厚さを調整するようにしてもよい。この場合、収縮抑制材グリーンシート２２は、図１３に示すように、厚さの薄い収縮抑制材グリーンシート２２ａと、キャビテイ形成部に貫通孔を設けここにセラミックグリーンシートを嵌め合わせた収縮抑制材グリーンシート２２ｂを積層することにより構成すればよい。これにより、積層体全体の収縮抑制とキャビティ底面部の収縮抑制を別々に制御することができる。
【００７４】
なお、収縮抑制材グリーンシート２２ｂについて、嵌め合わせるセラミックグリーンシートの形状（貫通孔の形状）はキャビティの形状と同一であることには拘らず、収縮抑制力のバランスを考慮して決めればよい。また、第１嵌合シート２５や収縮抑制材グリーンシート２２ａ，２２ｂの厚さについても、同様に収縮抑制力のバランスを考慮して適宜設定すればよい。
【００７５】
（製造方法に関する第４の実施形態）
本実施形態は、焼失性シートを用いた例である。図１４は、本実施形態の基本的な製造プロセスを示すものである。当該製造プロセスも、主に、焼成後にセラミック層となるグリーンシート及び収縮抑制材グリーンシートを積層しプレスする工程、これを焼成する工程、焼成後に埋め込み用グリーンシートの焼成物を除去する工程、収縮抑制材グリーンシートの焼成物を除去する工程とから構成される。
【００７６】
多層セラミック基板の作製に際しては、先ず、図１４（ａ）に示すように、多層セラミック基板を構成するセラミック層の数に応じて、複数のセラミックグリーンシートを基板用グリーンシートとして積層する。ここでは、９枚のセラミックグリーンシート６１〜６９を積層する。各セラミックグリーンシート６１〜６９は、例えばセラミック粉末と有機バインダー及び有機溶剤とを混合して得られるスラリー状の誘電体ペーストを作り、これを例えばポリエチレンテレフタレート（ＰＥＴ）シート等の支持体上にドクターブレード法等によって成膜することにより形成する。前記セラミック粉末や有機ビヒクル（有機バインダー及び有機溶剤）としては、公知のものがいずれも使用可能である。
【００７７】
ここで、前記セラミックグリーンシート６１〜６９のうち、下側の２枚のセラミックグリーンシート６１，６２については、キャビティを形成するための貫通孔は必要なく、通常の平坦なグリーンシートとして形成されている。これら２枚のセラミックグリーンシート６１，６２のうち、上側のセラミックグリーンシート６２がキャビティの底面を構成することになる。
【００７８】
前記キャビティの底面を構成する前記セラミックグリーンシート６２上には、残りの７枚のセラミックグリーンシート６３〜６９が積層されるが、これらセラミックグリーンシート６３〜６９には、前記キャビティ１１の開口形状に対応して、所定の形状の切り込み６３ａ〜６９ａが入れられ、キャビティ空間に対応する部分６３ｂ〜６９ｂが分離されている。したがって、これら７枚のセラミックグリーンシート６３〜６９が、キャビティ形成用グリーンシートに相当することになる。
【００７９】
本実施形態では、前記キャビティの底面を構成するセラミックグリーンシート６２と接するセラミックグリーンシート６３を除いて、切り込み６４ａ〜６９ａにより分離された部分６４ｂ〜６９ｂを埋め込み用グリーンシートとして利用する。なお、前記に限らず、例えば各セラミックグリーンシート６４〜６９にキャビティに対応する貫通孔を形成し、ここに別途形成した埋め込み用グリーンシートを嵌め合わせるようにしてもよいが、生産性を考えると、前記のように切り込み６４ａ〜６９ａにより分離された部分６４ｂ〜６９ｂを埋め込み用グリーンシートとして利用するのが有利である。
【００８０】
一方、前記キャビティの底面を構成するセラミックグリーンシート６２と接するセラミックグリーンシート６３については、キャビティに対応する貫通孔６３ａを形成し、この部分のセラミックグリーンシートを除去するとともに、前記貫通孔６３ａの形状に合わせた収縮抑制材グリーンシート片７０ａ、及び焼失性シート片７１ａを貫通孔６３ａに嵌め込み、これを埋めるようにする。これを詳細に示したのが図１５である。
【００８１】
すなわち、先ず、図１５（ａ）に示すように、セラミックグリーンシート６３を形成し、図１５（ｂ）に示すように、キャビティの開口形状に対応する貫通孔６３ａを打ち抜き形成する。また、図１５（ｃ）に示すように、収縮抑制材グリーンシート７０を形成し、図１５（ｄ）に示すように、これを前記貫通孔６３ａの形状とほぼ一致するように打ち抜いて収縮抑制材グリーンシート片７０ａを形成する。同様に、図１５（ｅ）に示すように、焼失性シート７１を形成し、図１５（ｆ）に示すように、これを前記貫通孔６３ａの形状とほぼ一致するように打ち抜いて焼失性シート片７１ａを形成する。次いで、図１５（ｇ）に示すように、前記セラミックグリーンシート６３の貫通孔６３ａに、前記収縮抑制材グリーンシート片７０ａ、及び焼失性シート片７１ａをこの順に嵌め合わせ、前記貫通孔６３ａを埋める形とする。したがって、前記収縮抑制材グリーンシート片７０ａと焼失性シート片７１ａを合わせた厚さは、前記セラミックグリーンシート６３の厚さとほぼ一致するように設定することが好ましい。
【００８２】
前記収縮抑制材グリーンシート７０（収縮抑制材グリーンシート片７０ａ）には、前記セラミックグリーンシート６１〜６９の焼成温度では収縮しない材料、例えばトリジマイトやクリストバライト、さらには石英、溶融石英、アルミナ、ムライト、ジルコニア、窒化アルミニウム、窒化ホウ素、酸化マグネシウム、炭化ケイ素等を含む組成物が用いられ、これら収縮抑制材グリーンシート片７１ａをセラミックグリーンシート（この場合には、セラミックグリーンシート６２）と接するように配し、焼成を行うことで、セラミックグリーンシート６２の面内方向の収縮が抑えられる。
【００８３】
前記焼失性シート７１（焼失性シート片７１ａ）には、前記セラミックグリーンシート６１〜６９の焼成温度で焼失する材料、例えば樹脂材料等が用いられる。特に、セラミックグリーンシート６１〜６９に含まれる有機バインダーと同一の材料を用いることが好ましい。焼失性シート７１（焼失性シート片７１ａ）にセラミックグリーンシート６１〜６９に含まれる有機バインダーと同一の材料を用いれば、焼成の際に確実に前記焼失性シート７１（焼失性シート片７１ａ）が焼失する。なお、前記焼失性シート片７１ａは、前記のようにシート化したものを打ち抜くことにより形成してもよいし、例えば印刷法等により形成してもよい。
【００８４】
以上のようにセラミックグリーンシート６１〜６９を積層し、その両面、すなわち最外層のセラミックグリーンシート６１，６９の表面に、収縮抑制材グリーンシート７２，７３を重ね合わせる。収縮抑制材グリーンシート７２，７３の材質としては、先の収縮抑制材グリーンシート７０の材質と同様である。なお、キャビティに対応して貫通孔（切り込み６９ａ）が形成されるセラミックグリーンシート６９側に配される収縮抑制材グリーンシート７３については、セラミックグリーンシート６９と同様にキャビティ開口形状に対応した貫通孔７３ａを設け、ここに別途打ち抜き形成した埋め込み用セラミックグリーンシート片７４を嵌め込んでおく。
【００８５】
これらを積層した積層体の積層状態は、図１４（ａ）に示すようなものであり、複数のセラミックグリーンシート６１〜６９が積層された積層体の両面に収縮抑制材グリーンシート７２，７３が積層され、積層体全体の面内方向の収縮を抑制するように構成されている。また、キャビティの底面に露呈するセラミックグリーンシート６２上には、前記セラミックグリーンシート６３の貫通孔６３ａ内に配された収縮抑制材グリーンシート片７０ａが接しており、この部分においても面内方向の収縮を抑制するように構成されている。
【００８６】
キャビティに対応する空間は、通常はこの段階でも空間（凹部）として形成されるが、本実施形態の製造方法では、前記セラミックグリーンシート６４〜６９の切り込み６４ａ〜６９ａにより分離された部分６４ｂ〜６９ｂ、さらには埋め込み用セラミックグリーンシート片７４が埋め込み用グリーンシートとして配される形になっており、積層体の全体形状を見たときには、凹部の無い平坦な積層体として形成されることになる。
【００８７】
前記セラミックグリーンシート６１〜６９や収縮抑制材グリーンシート７２，７３を積層した積層体は、焼成に先立ってプレス工程によりプレスする必要がある。このとき、キャビティに対応する凹部が形成されていると、凹部の潰れ等が発生し、キャビティの開口部等が変形するおそれがある。本実施形態では、前記埋め込み用グリーンシートにより積層方向で厚さが均一な積層体を作製し、キャビティ部分を含めて平坦化されているので、通常の平板の金型を用いてプレスすることができ、容易な手段でプレス工程を行うことが可能である。なお、積層体のプレス工程は、前記のように平板の金型間に挟み込んで加圧することにより行ってもよいし、例えば積層体を防水性樹脂等で被覆し、静水圧プレスを行ってもよい。
【００８８】
前記のプレス工程の後、図１４（ｂ）に示すように、焼成することにより各セラミックグリーンシート６１〜６９をセラミック層２〜１０とするが、このとき収縮抑制材グリーンシート７２，７３が積層され拘束されているので、前記セラミックグリーンシート６１〜６９は厚さ方向にのみ収縮し、面内方向にはほとんど収縮しない。キャビティの底部に露呈するセラミックグリーンシート６２についても、面内方向の収縮が抑えられる。
【００８９】
また、キャビティ空間に対応して埋め込み配置された埋め込み用グリーンシート（セラミックグリーンシート６４〜６９の切り込み６４ａ〜６９ａにより分離された部分６４ｂ〜６９ｂ、及び埋め込み用セラミックグリーンシート片７４）と収縮抑制材グリーンシート片７０ａの間には、前記焼失性シート片７１ａが介在され、これがセラミックグリーンシート６１〜６９が焼結する前に焼失する。これにより、これら埋め込み用グリーンシートに対してキャビティの底部に配される収縮抑制材グリーンシート片７０ａの拘束力は働かず、したがって面内方向に収縮し、これらの焼成物７５は、図１４（ｂ）に示すように、厚さ方向での収縮が少ない分、焼成後の積層体から突出する形になる。前記拘束力が働かないので、これらが収縮することによって前記収縮抑制材グリーンシート片７０ａ、さらにはその下のセラミックグリーンシート６２に応力が加わることがなく、セラミックグリーンシート６２が焼成することにより形成されるセラミック層３の平坦性等が損なわれることもない。
【００９０】
焼成が終了した後には、図１４（ｃ）に示すように、前記埋め込み用グリーンシートの焼成物７５をキャビティ空間から除去する。前記焼成物は、焼失性シート片７１ａの焼失により前記収縮抑制材グリーンシート片７０ａから分離され、例えば上下反転することで、容易に除去することが可能である。
【００９１】
最後に、前記収縮抑制材グリーンシート７２，７３や収縮抑制材グリーンシート片７０ａの焼成後の残渣７６を除去し、図１４（ｄ）に示すようなキャビティ１１を有する多層セラミック基板１を完成する。収縮抑制材グリーンシート７２，７３や収縮抑制材グリーンシート片７０ａの焼成後の残渣７６は、何らかの洗浄工程を行うことで容易に除去することができ、例えば超音波洗浄程度の刺激で容易に除去することが可能である。したがって、洗浄工程として、溶剤中での超音波洗浄工程等を行えばよいが、例えばアルミナ系のグリーンシートを前記収縮抑制材グリーンシートとして用いた場合には、残渣７６が自然剥離しないので、ウエットブラスト工程等により研磨し洗浄することで前記残渣７６を除去する必要がある。
【００９２】
以上により作製される多層セラミック基板１は、寸法精度やキャビティ底面の平面度等に優れたものであり、また、キャビティ開口部の潰れやキャビティ開口部周辺における盛り上がり等の変形が生ずることもない。
【００９３】
（製造方法に関する第５の実施形態）
本実施形態は、焼失性シートを多段構造（２段構造）のキャビティを有する多層セラミック基板の製造に適用した例である。図１６は、２段構造のキャビティが形成される多層セラミック基板の製造に応用した実施形態を示すものである。この場合には、図１６（ａ）に示すように、セラミックグリーンシートの積層体８１の両面に収縮抑制材グリーンシート８２，８３を積層するとともに、キャビティの底面及び段差面にそれぞれ収縮抑制材グリーンシート片８４，８５及び焼失性シート片８６，８７を配する。そして、２段構造のキャビティ空間を埋める形で埋め込み用グリーンシート８８を配した状態でプレス工程及び焼成工程を行う。本例の場合にも、積層体の平坦性が保たれており、プレス工程は容易である。
【００９４】
焼成後には、図１６（ｂ）に示すように、埋め込み用グリーンシートの焼成物８９は、積層体から突出する形になるが、前記と同様、例えば上下反転することで容易に除去することが可能である。得られる多層セラミック基板９０は、図１６（ｃ）に示すようなものであり、全体の寸法精度に優れるばかりでなく、キャビティ９１の底面９１ａや段差面９１ｂの寸法精度や平面度も優れたものとなる。なお、前記のような２段構造のキャビティ９１の場合、底面９１ａに電子デバイスが搭載され、段差面に前記電子デバイスとボンディングワイヤで結ばれる導体パターンが設けられる。
【００９５】
（多層セラミック基板のキャビティ形状に関する第１の実施形態）
前述の各製造方法によって作製される多層セラミック基板においては、キャビティが特異的な形状を有しており、従来の多層セラミック基板のキャビティ形状と比べて樹脂封止において優位性を有している。以下、本実施形態の多層セラミック基板のキャビティ形状について説明する。なお、本実施形態の多層セラミック基板は、製造方法に関する第１の実施形態により作製されるものである。
【００９６】
前述の通り、製造方法に関する第１の実施形態により作製される多層セラミック基板１は、複数（ここでは９層）のセラミック層２〜１０が焼成により積層一体化されたものである。ここで、前記セラミック層２〜１０のうち、下の２層２，３については、キャビティ形成のための貫通孔が形成されていない平坦なセラミック層であり、これらの中で上層となるセラミック層３の上面３ａの一部がキャビティの底部に臨み、キャビティの底面を構成する。また、前記セラミック層３上に積層される残りのセラミック層４〜１０は、キャビティに対応してそれぞれ貫通孔が形成されており、これら貫通孔が連なることにより、キャビティ１１が所定の空間として構成されている。
【００９７】
前記製造方法に関する第１の実施形態において述べたように、前記多層セラミック基板１を作製するに際しては、第１嵌合シート２５や最上層複合グリーンシート２９、さらには収縮抑制グリーンシート２２によって基板用グリーンシートを拘束しながら焼成を行い、面内方向における収縮を抑制するようにしている。この場合、焼成の際に前記の通り積層体の両面が収縮抑制グリーンシートで拘束されていたため、焼成後、各基板用グリーンシートは厚み方向にのみ収縮し、面方向には収縮していないはずである。
【００９８】
しかしながら、詳細に観察すると、収縮抑制グリーンシート（第１嵌合シート２５、最上層複合グリーンシート２９、及び収縮抑制グリーンシート２２）直近の基板用グリーンシートについては面方向にほとんど収縮することはないが、収縮抑制グリーンシートから離れるにつれ、僅かではあるが面方向に収縮している。この面方向の収縮は、収縮抑制グリーンシートから離れるにつれて次第に大きくなる。このため、キャビティ１１の形状を詳しく観察すると、図１７に模式的に示すように、収縮抑制グリーンシート直近の開口部よりも内部の方が開口面積が大きな、いわば太鼓型形状となっている。
【００９９】
この点についてさらに詳細に説明すると、前記キャビティ１１においては、開口部１１ａにおける開口寸法Ｗ１が、キャビティ１１の深さ方向中途位置における開口寸法Ｗ２よりも小である。すなわち、キャビティ１１の開口部１１ａにおける開口面積が、キャビティ１１の深さ方向中途位置１１ｂにおける開口面積よりも小である。本例の場合、キャビティ１１の開口面積が深さ方向中途位置１１ｂに至るまで次第に増加し、次いで次第に減少しており、キャビティ１１の内壁の断面形状は略円弧状である。したがって、キャビティ１１の形状は、深さ方向中途部が円弧状に膨出する形状とされており、前記太鼓型形状となっている。
【０１００】
キャビティ１１が前述のような形状を有する多層セラミック基板１にあっては、前記特異的なキャビティ形状であるが故に、信頼性の点で大きな利点を有する。例えば、図１８に示すように、電子デバイス４０をキャビティ１１内に実装し、樹脂１００により樹脂封止した場合、前記の通りキャビティ１１の開口部１１ａの開口寸法が内部よりも小さいので、充填した樹脂１００が脱落することはない。先にも述べた通り、樹脂１００により樹脂封止を行った場合、多層セラミック基板１を構成する各セラミック層２〜１０と封止を行う樹脂１００とで熱膨張率が異なる。そして、これが原因で封止した樹脂１００が剥離しキャビティ１１から脱落するという問題が発生する。特に、長期間に亘る温度変化の繰り返しにより、前記問題は顕著になる。前記多層セラミック基板１では、キャビティ１１の開口部１１ａにおける開口面積がキャビティ１１の深さ方向中途位置１１ｂにおける開口面積よりも小であることから、キャビティ１１内に充填して硬化した樹脂１００は、内部の体積が大きいためキャビティ１１の開口部１１ａを通り抜けることができず、キャビティ１１内に保持される。
【０１０１】
以上のような特異的形状のキャビティ１１を有する多層セラミック基板１は、これまで実現されたことがなく、第１嵌合シート２５や最上層複合グリーンシート２９、さらには収縮抑制グリーンシート２２によって基板用グリーンシートを拘束しながら焼成することに加えて、焼成前の積層体を形成する際に、キャビティを形成する部分に切り込み３１により分離された部分３１ａをそのまま残し、埋め込み用グリーンシートとしてこれを埋める形とし、プレスを行なう際に均一に圧力が加わるようにすることで形成することができる。理由について詳細は不明であるが、ただ単に収縮抑制グリーンシートで拘束するだけでは前記キャビティ形状とすることはできず、本発明の製造方法を適用することではじめて実現できることが実験的に確かめられている。
【０１０２】
（多層セラミック基板のキャビティ形状に関する第２の実施形態）
本実施形態の多層セラミック基板は、キャビティを多段形状のキャビティ（本例の場合、二段形状の二段底キャビティ）とした例である。作製に際しては、製造方法に関する第２の実施形態に開示されるように、キャビティの一番深い底面に対応して第１複合グリーンシートを配する他、キャビティの二段目の底面（段差面）に対応して第２複合グリーンシートを配し、さらに各段のキャビティ部の寸法に合わせて大きさが異なる切り込み形成シートを積層する。
【０１０３】
図１９は、多段形状のキャビティを有する多層セラミック基板を模式的に示す図である。この多層セラミック基板５０は、図９に示す工程を経て作製され、図１０に示す多層セラミック基板と同様、キャビティ部５１ａ、５１ｂからなる二段底キャビティ５１を有する。ここで、各キャビティ部５１ａ，５１ｂにおいては、収縮抑制グリーンシートから離れるにつれ面方向の収縮が次第に大きくなっており、それぞれ開口部における開口寸法が、深さ方向中途位置における開口寸法よりも小さくなっている。すなわち、１段目（図中上側）のキャビティ部５１ｂについては、開口部の開口寸法をＷ３、深さ方向中途位置の開口寸法をＷ４としたときに、Ｗ３＜Ｗ４である。同様に、２段目（図中下側）のキャビティ部５１ａについても、開口部の開口寸法をＷ５、深さ方向中途位置の開口寸法をＷ６としたときに、Ｗ５＜Ｗ６である。また、各キャビティ部５１ａ，５１ｂの側壁の断面形状は円弧状であり、したがって各キャビティ部５１ａ，５１ｂの形状は、いわば壺形を呈することになる。
【０１０４】
なお、２段目以降のキャビティ部（ここではキャビティ部５１ａ）については、必ずしも前記壺形に限らず、図２０に示すように、開口面積が最も大きく、深さ方向において次第に開口面積が漸減する形状であってもよい。この場合には、開口部の開口寸法をＷ５、深さ方向中途位置の開口寸法をＷ６としたときにＷ５＞Ｗ６であり、１段目（上側）のキャビティ部５１ｂが壺形であるのに対して、２段目（下側）のキャビティ部５１ａは、いわば椀状を呈することになる。２段目以降のキャビティ部の形状を前記椀状とすることにより、当該キャビティ部５１ａに電子デバイスを実装する際のワイヤボンディング等が容易になり、効率的なデバイス実装が可能になる。
【０１０５】
本実施形態の多層セラミック基板５０では、前記の通り、多段形状のキャビティ５１において、少なくとも１段目（上側）のキャビティ部５１ｂの形状が開口部よりも内部の方が開口面積が大きな太鼓型形状となっており、したがって各キャビティ部５１ａ，５１ｂにおいて樹脂封止の信頼性を確保することが可能である。
【実施例】
【０１０６】
以下、本発明を適用した具体的な実施例について、実験結果に基づいて説明する。
【０１０７】
（実施例１）
本実施例では、セラミックグリーンシートの材料として、アルミナ−ガラス系誘電体材料を準備した。バインダと有機溶剤を混合し、ドクターブレード法により厚さ１２５μｍのセラミックグリーンシートを作製した。一方、収縮抑制材料としてトリジマイト−シリカ系材料を準備した。セラミックグリーンシート材料と同じくバインダ、有機溶剤を混合し、ドクターブレード法により厚さ１２５μｍの収縮抑制グリーンシートを作製した。
【０１０８】
セラミックグリーンシートに金型で４ｍｍ四方の第１貫通孔を形成した。一方、収縮抑制グリーンシートから同様に金型で４ｍｍ四方を打ち抜き、第１嵌合シートを形成した。第１嵌合シートを第１貫通孔に嵌めこみ、第１複合グリーンシートを作製した。第１複合グリーンシートの厚さは１２５μｍであった。次にセラミックグリーンシートに金型で２ｍｍ四方を金型で一旦打ち抜き、打ち抜いた部分を再びもとのキャビティ部に嵌め込み、切り込み形成シートを作製した。この切り込み形成シートを６枚準備した。さらに収縮抑制グリーンシートに金型で４ｍｍ四方の第６貫通孔を形成した。セラミックグリーンシートから同様に金型で４ｍｍ四方を打ち抜き、第２嵌合シートを形成した。第２嵌合シートを第６貫通孔に嵌めこみ、最上層複合グリーンシートを作製した。切り込み形成シートの厚さは１２５μｍとした。
【０１０９】
これらを、最下層から収縮抑制グリーンシートを１枚、セラミックグリーンシートを５枚、第１複合グリーンシートを１枚、切り込み形成シートを４枚、最上層複合グリーンシートを１枚の順に積層し積層体とした。積層体を通常の上下パンチが平坦な金型に入れて７０ＭＰａで７分加圧した後、９００℃で焼成した。
【０１１０】
焼成後、キャビティ部の内側のシートは積層焼成体の表面より突出していた。これを自然剥離すると、キャビティ部の隅の部分に残渣が付着していたが、有機溶剤中で超音波洗浄することにより脱落させることができた。また、収縮抑制グリーンシートと最上層複合グリーンシートも脱落させることができた。
【０１１１】
こうして得た多層セラミック基板の厚さは０．５９ｍｍであり、キャビティ部の寸法は、キャビティ開口部の１辺が４ｍｍ、深さは０．３０ｍｍであった。得られた多層セラミック基板の断面写真を図２１に示す。この図２１から明らかなように、キャビティ部は、開口部よりも内部の方が開口面積が大きな太鼓型形状となっている。
【０１１２】
（実施例２）
本実施例では、多段形状のキャビティを有する多層セラミック基板を作製した。製造方法は、製造方法に関する第２の実施形態に示す通りであり、セラミックグリーンシートや収縮抑制グリーンシート等は、実施例１に準じて形成した。
【０１１３】
得られた多層セラミック基板において、第１のキャビティ部の開口部の寸法は５ｍｍ、深さは０．２４ｍｍ、第２のキャビティ部の開口部の寸法は２ｍｍ、深さは０．１８ｍｍであった。得られた多層セラミック基板の断面写真を図２２に示す。この図２２から明らかなように、各キャビティ部は、開口部よりも内部の方が開口面積が大きな太鼓型形状となっている。
【０１１４】
（実施例３）
本実施例においては、基板用セラミック材料としてアルミナ−ガラス系誘電体材料を準備した。そして、これを有機バインダー及び有機溶剤と混合し、ドクターブレード法により厚さ１２５μｍのセラミックグリーンシートを作成した。
【０１１５】
一方、収縮抑制用材料としてトリジマイト−シリカ系材料を準備した。これをセラミック材料と同じく有機バインダー及び有機溶剤と混合し、ドクターブレード法により厚さ１１０μｍ、及び１２５μｍの収縮抑制材グリーンシートを作成した。また、焼失性材料として前述の基板用セラミック材料、収縮抑制材料をシート化した時に用いた樹脂を用意し、これを有機溶剤に溶かしてドクターブレード法により厚さ１５μｍの焼失性シートを作成した。
【０１１６】
セラミックグリーンシートのキャビティを形成する部分を２ｍｍ四方の正方形に金型で打ち抜いた。一方、厚さ１１０μｍの収縮抑制材グリーンシート、及び焼失性シートから同じく２ｍｍ四方のシートを打ち抜き、これらを前記セラミックグリーンシートのキャビティ部に適応した。これをキャビティ底面用複合グリーンシートとした。
【０１１７】
次に、他のセラミックグリーンシートのキャビティを形成する部分を２ｍｍ四方の金型にて一旦打ち抜き、打ち抜いた部分を再び元のキャビティ部に適応した。これをキャビティ形成用セラミックグリーンシートとし６枚準備した。
【０１１８】
さらに、厚さ１２５μｍの収縮抑制材グリーンシートのキャビティを形成する部分を２ｍｍ四方の金型で打ち抜き、ここにはセラミックグリーンシートを適応した。これを最上層複合グリーンシートとした。
【０１１９】
キャビティの底面部を形成する何も加工していないセラミックグリーンシートを２枚積層した上に前記キャビティ底面用複合グリーンシートを積層し、その上に前記６枚のキャビティ形成用セラミックグリーンシートを積層した。さらに、その上に最上層複合グリーンシートを、反対面には何も加工していない収縮抑制材グリーンシート（厚さ１２５μｍ）を積層した。キャビティ部の積層体の断面は、図１４（ａ）に示す通りである。
【０１２０】
こうして得られた積層体を、通常の上下パンチが平坦な金型に入れて圧力７００ｋｇ／ｃｍ２にて７分加圧した後、９００℃にて焼成した。焼成後のセラミック基板は、面内方向には収縮せず、厚さ方向のみが大きく収縮していた。キャビティ部分の積層体は、面内方向にも収縮するので厚さ方向の収縮は小さく、上部は基板平面より突出していた。
【０１２１】
トリジマイト−シリカ系の収縮抑制材は、焼成後にセラミック基板から自然に剥離したが、キャビテイ内部の隅の部分等には残渣が付着していたので、有機溶剤中にて超音波で洗浄した。このようにして、全体の厚さが０．５５ｍｍ、キャビティ開口部の１辺が２ｍｍ、キャビティ深さが０．４２ｍｍのセラミック多層基板を得た。この多層セラミック基板のキャビティにおいては、電子デバイスを実装する底面が十分に平坦であった。
【図面の簡単な説明】
【０１２２】
【図１】製造対象となる多層セラミック基板の一例を示す要部概略断面図である。
【図２】第１の実施形態における製造プロセスを示すフローチャートである。
【図３】（ａ）はセラミックグリーンシートの概略側面図であり、（ｂ）は収縮抑制材グリーンシートの概略側面図である。
【図４】（ａ）は第１複合グリーンシートの概略平面図であり、（ｂ）は最上層複合グリーンシートの概略平面図である。
【図５】切り込み形成シートの概略平面図である。
【図６】第１の実施形態における多層セラミック基板の製造プロセスを示す要部概略断面図であり、（ａ）は積層工程、（ｂ）は焼成工程、（ｃ）はキャビティ形成工程、（ｄ）は収縮抑制シート除去工程を示す。
【図７】第１の実施形態で作製された多層セラミック基板への電子デバイスの実装状態を示す概略断面図である。
【図８】（ａ）は第２の実施形態において作製される第２複合グリーンシートの概略平面図であり、（ｂ）は第２切り込み形成シートの概略平面図である。
【図９】第２の実施形態における２段構造のキャビティを有する多層セラミック基板の製造プロセス例を示す要部概略断面図であり、（ａ）は積層工程、（ｂ）は焼成工程、（ｃ）はセラミック多層基板を示す。
【図１０】第２の実施形態で作製された多層セラミック基板への電子デバイスの実装状態を示す概略断面図である。
【図１１】多層セラミック基板のキャビティ底面部における変形を示す要部概略断面図である。
【図１２】第３の実施形態における積層体の構成例を示す要部概略断面図である。
【図１３】第３の実施形態における積層体の他の構成例を示す要部概略断面図である。
【図１４】第４の実施形態における多層セラミック基板の製造プロセスを示す要部概略断面図であり、（ａ）は積層工程、（ｂ）は焼成工程、（ｃ）は埋め込み用グリーンシートの焼成物の除去工程、（ｄ）は完成した多層セラミック基板を示す。
【図１５】セラミックグリーンシートへの収縮抑制材グリーンシート片及び焼失性シート片の適用工程を示す概略斜視図である。
【図１６】第５の実施形態における２段構造のキャビティを有する多層セラミック基板の製造プロセス例を示す要部概略断面図であり、（ａ）は積層工程、（ｂ）は焼成工程、（ｃ）はセラミック多層基板を示す。
【図１７】多層セラミック基板のキャビティ形状の一例を模式的に示す図である。
【図１８】キャビティ内に電子デバイスを樹脂封止した状態を示す概略断面図である。
【図１９】多段形状のキャビティを有する多層セラミック基板におけるキャビティ形状の一例を模式的に示す図である。
【図２０】多段形状のキャビティを有する多層セラミック基板におけるキャビティ形状の他の例を模式的に示す図である。
【図２１】実施例１で作製した多層セラミック基板のキャビティ形状を示す図面代用写真である。
【図２２】実施例２で作製した多層セラミック基板のキャビティ形状を示す図面代用写真である。
【符号の説明】
【０１２３】
１  多層セラミック基板、２〜１０  セラミック層、１１  キャビティ、２１  セラミックグリーンシート、２２  収縮抑制材グリーンシート、２３  支持体、２４第１貫通孔、２５  第１嵌合シート、２６  第１複合グリーンシート、２７  第２貫通孔、２８  第２嵌合シート、２９  最上層複合グリーンシート、３０  切り込み形成シート、３１  切り込み、３２  積層体、３４  積層焼成体、４０  電子デバイス、４１  ボンディングワイヤ、４３  第２複合グリーンシート、４４  第３貫通孔、４５  第３嵌合シート、４６  第４貫通孔、４７  第２切り込み形成シート、４８  切り込み、５０  多層セラミック基板、５１  二段底キャビティ、６１〜６９  セラミックグリーンシート、６３ａ〜６９ａ  切り込み、６４ｂ〜６９ｂ  分離された部分（埋め込み用グリーンシート）、７０ａ  収縮抑制材グリーンシート片、７１ａ  焼失性シート片、７２，７３  収縮抑制材グリーンシート、７４  埋め込み用グリーンシート、７５  埋め込み用グリーンシートの焼成物、７６  残渣、８１  積層体、８２，８３  収縮抑制材グリーンシート、８４，８５  収縮抑制材グリーンシート片、８６，８７  焼失性シート片、８８  埋め込み用グリーンシート、８９  埋め込み用グリーンシートの焼成物、９０  多層セラミック基板、９１  キャビティ、９１ａ  底面、９１ｂ  段差面
【図１】
2007043050.tif 000003
【図２】
2007043050.tif 000004
【図３】
2007043050.tif 000005
【図４】
2007043050.tif 000006
【図５】
2007043050.tif 000007
【図６】
2007043050.tif 000008
【図７】
2007043050.tif 000009
【図８】
2007043050.tif 000010
【図９】
2007043050.tif 000011
【図１０】
2007043050.tif 000012
【図１１】
2007043050.tif 000013
【図１２】
2007043050.tif 000014
【図１３】
2007043050.tif 000015
【図１４】
2007043050.tif 000016
【図１５】
2007043050.tif 000017
【図１６】
2007043050.tif 000018
【図１７】
2007043050.tif 000019
【図１８】
2007043050.tif 000020
【図１９】
2007043050.tif 000021
【図２０】
2007043050.tif 000022
【図２１】
2007043050.tif 000023
【図２２】
2007043050.tif 000024